(57)【要約】【課題】ストローで液体を吸い上げるその力、さらに液体自身が有する濡れ作用を利用して、固形内服薬を飲み易くする内服薬収納ストローを提供する。【解決手段】液体Ｗが固体表面から気体を押しのけて広がる濡れ現象を有する食物で形成されたチップ２又は膜３が、濡れのない状態で一定の保形力を有してストロー１内に間隔をあけてストロー断面を遮蔽するようにして係止され、且つその間隔があけられたストロー空間１２内に所定量の固形内服薬５が充填され、ストロー１の基端部１０を液体Ｗ内に置いてストロー先端部１１を口につけ吸い上げることにより、前記チップ２又は膜３が濡れてその保形を失い、該チップ２又は膜３と前記内服薬５とを液体Ｗと一緒に口内９に吸い込めるようにした。【選択図】  図１
2005027720.tif 000002
【特許請求の範囲】
【請求項１】
液体が固体表面から気体を押しのけて広がる濡れ現象を有する食物で形成されたチップ又は膜が、濡れのない状態で一定の保形力を有してストロー内に間隔をあけてストロー断面を遮蔽するようにして係止され、且つその間隔があけられたストロー空間内に所定量の固形内服薬が充填され、ストローの基端部を液体内に置いてストロー先端部を口につけ吸い上げることにより、前記チップ又は膜が濡れてその保形を失い、該チップ又は膜と前記内服薬とを液体と一緒に口内に吸い込めるようにしたことを特徴とする内服薬収納ストロー。
【請求項２】
液体が固体表面から気体を押しのけて広がる濡れ現象を有する食物で形成された膜を使用し、且つその膜が濡れのない状態で所定量の固形内服薬を包み込んで、これをストロー内に配設し、ストローの基端部を液体内に置いてストロー先端部を口につけ吸い上げることにより、前記膜が濡れてその保形を失い、該膜と前記内服薬とを液体と一緒に口内に吸い込めるようにしたことを特徴とする内服薬収納ストロー。
【請求項３】
所定量の固形内服薬をカプセル内に充填し、該内服薬封入カプセルがストロー内に係止され、ストローの基端部を液体内に置いてストロー先端を口につけ吸い上げることにより、前記内服薬封入カプセルを液体と一緒に口内に吸い込めるようにしたことを特徴とする内服薬収納ストロー。
【発明の詳細な説明】
【０００１】
【発明の属する技術分野】
本発明は固形内服薬がストロー内に配設，収納された内服薬収納ストローに関する。
【０００２】
【従来の技術】
経口投与に用いられる内服薬には、液体状のものの他に、粉末，顆粒状，錠剤，カプセルタイプ等の固形のものがある。粉末，顆粒状タイプは分包，小分けされるのが一般的である。これらの固形内服薬は水などと一緒に口内へ流し込まれてきた。
【０００３】
【発明が解決しようとする課題】
しかし、固形内服薬を飲む場合、先に内服薬を口に含んでから、水などの液体を飲むために、時間差があり、顆粒，粉末の内服薬の場合は苦味等を感じたり、ともすれば顆粒が歯と歯の隙間に挟まったりする不快感があった。また、カプセルタイプは飲むこと自体が困難な場合があった。
【０００４】
一方、ストローに関しては従来、熱い飲み物を飲み易くしたり、幼児，子供の飲用意欲を高揚させたりするものが提案されるに留まっている（例えば、特許文献１，２参照。）。
【０００５】
【特許文献１】
特開２００２−２５３４１４公報
【特許文献２】
特開２００１−２５８７１５公報
【０００６】
本発明はストローで液体を吸い上げるその力、さらに液体自身が有する濡れ作用を利用して、固形内服薬を飲み易くする内服薬収納ストローを提供することを目的とする。
【０００７】
【課題を解決するための手段】
上記目的を達成すべく、請求項１に記載の発明の要旨は、液体が固体表面から気体を押しのけて広がる濡れ現象を有する食物で形成されたチップ又は膜が、濡れのない状態で一定の保形力を有してストロー内に間隔をあけてストロー断面を遮蔽するようにして係止され、且つその間隔があけられたストロー空間内に所定量の固形内服薬が充填され、ストローの基端部を液体内に置いてストロー先端部を口につけ吸い上げることにより、前記チップ又は膜が濡れてその保形を失い、該チップ又は膜と前記内服薬とを液体と一緒に口内に吸い込めるようにしたことを特徴とする内服薬収納ストローにある。
ここで、「チップ又は膜がストロー内に間隔をあけてストロー断面を遮蔽するようにして係止され」は、片方のチップ又は膜がストローの基端開口を遮蔽するようにして係止される場合であっても、このチップ又は膜と間隔をあけて、他方のチップ又は膜がストロー内にストロー断面を遮蔽するようにして係止されておれば、これも含むものとする。
請求項２に記載の発明の要旨は、液体が固体表面から気体を押しのけて広がる濡れ現象を有する食物で形成された膜を使用し、且つその膜が濡れのない状態で所定量の固形内服薬を包み込んで、これをストロー内に配設し、ストローの基端部を液体内に置いてストロー先端部を口につけ吸い上げることにより、前記膜が濡れてその保形を失い、該膜と前記内服薬とを液体と一緒に口内に吸い込めるようにしたことを特徴とする内服薬収納ストローにある。
請求項３に記載の発明の要旨は、所定量の固形内服薬をカプセル内に充填し、該内服薬封入カプセルがストロー内に係止され、ストローの基端部を液体内に置いてストロー先端を口につけ吸い上げることにより、前記内服薬封入カプセルを液体と一緒に口内に吸い込めるようにしたことを特徴とする内服薬収納ストローにある。
【０００８】
請求項１の発明のごとく、濡れ現象を有する食物で形成されたチップ又は膜が、濡れのない状態で一定の保形力を有してストロー内に間隔をあけてストロー断面を遮蔽するようにして係止され、且つその間隔があけられたストロー空間内に所定量の固形内服薬が充填されると、必要な内服薬の量の内服薬収納ストロー本数を持ち運べば、通常のストローを使用する感覚で気軽るに内服薬を服用できる。外出先等でも水があればコップ等がなくても服用できる。ストローの基端部を液体内に置いてストロー先端部を口につけ吸い上げることにより、濡れ現象を有するチップ又は膜が濡れてその保形を失い、該チップ又は膜と前記内服薬とを液体と一緒に口内に吸い込めるようになる。液体の濡れ作用で、濡れ現象を有するチップ又は膜が自然に破けるので、チップ，膜を別途、切開処理などしなくて済む。使い勝手が極めて良い。そして、ストローで吸った液体と一緒に一瞬のうちに内服薬が口内に取り込まれるので、飲み易く且つむせたりもしない。薬の苦味などを感じることも少ない。内服薬が顆粒であっても、ストローに吸われて喉もとを瞬時に通り過ぎてしまうので、歯と歯との間に挟まる不具合もなくなる。
請求項２の発明で、液体が固体表面から気体を押しのけて広がる濡れ現象を有する食物で形成された膜を使用し、且つその膜が濡れのない状態で所定量の固形内服薬を包み込んで、これをストロー内に配設した場合も、前記請求項１と同様の作用が得られる。
請求項３の発明で、所定量の固形内服薬をカプセル内に充填し、該内服薬封入カプセルがストロー内に係止されるようにした内服薬収納ストローも、前記請求項１と同様の作用が得られる。また固形内服薬をカプセル内に充填したものはとかく飲みづらかったが、本内服薬収納ストローによれば、喉を潤しながら液体と同時進行でストローを通して口内へ取り込まれるので、楽に服用できる。
【０００９】
【発明の実施の形態】
以下、本発明に係る内服薬収納ストローについて詳述する。
（１）実施形態１
図１〜図４は本発明の内服薬収納ストローの一形態で、図１はその斜視図、図２は図１の縦断面図、図３は他態様の縦断面図、図４は内服薬収納ストローを使用して患者が内服薬を服用する様子を示す説明図である。
【００１０】
本実施形態の内服薬収納ストローは、ストロー１とチップ２と固形内服薬５とを具備する。
ストロー１は公知の細長円筒形で、長手方向等断面形状のストレート品である。基端部１０が液体Ｗ（飲み物）に浸かる部分で、先端部１１は口をつける部分になる。ストロー１は先端部寄りに曲げ易くする蛇腹部分を形成してもよい。
【００１１】
チップ２は液体Ｗが固体表面から気体を押しのけて広がる濡れ現象を有する食物で形成され、ストロー１の長手方向の所定箇所で、ストロー１を横切ってストロー断面を遮蔽するようにして係止される比較的小さな詰物である。ここでのチップ２は、麩で形成され、その底面がストロー断面径に等しい円柱体の形とする。麩の円柱体の側壁がストロー１の内壁に当接し摩擦力でもってストロー１内の所定位置に係止，固定される。
液体Ｗが固体表面から気体を押しのけて広がる濡れ現象を有する食物で、チップ２を形成するのは、本内服薬収納ストローを使って、その基端部１０を例えばコップＣ内の飲料水に浸け、口から吸い込もうとしたときに、チップ２が濡れて保形を失いストロー１内に通り道ができ、上手く飲料水を口内９に導くことができるからである。液体Ｗが固体表面から気体を押しのけて広がる濡れ現象を有する食物には、麩の他にパン，がんもどき，カステラ等がある。チップ２は濡れ現象があるだけでなく、軟らかくポーラスなスポンジ状体がより好ましい。チップ２がスポンジ状体であると、濡れて保形を失うと同時にしぼんで体積が縮小しやすくなり、ストロー１内により大きな通り道ができ、弱い吸引力で吸っても飲料水さらにチップ２及び内服薬５を飲むことができるからである。勿論、スポンジ状のチップ２にあっては、粉や顆粒の内服薬５が通過しない孔径或いは独立気泡タイプの気泡が必要である。また長期間に亘って衛生的で且つカビなどが生えないことも重要で、こうしたことを考えると、麩は好適なチップ２の形成材料になる。
【００１２】
固形内服薬５は経口投与に用いられる内服薬５のうち、粉末，顆粒状，錠剤，カプセルタイプ等の固形の薬である。本発明における固形内服薬５の薬の種類は問わない。
【００１３】
内服薬収納ストローには濡れのない状態で一定の保形力を有してストロー１内に間隔をあけてストロー断面を遮蔽するように配設固定された前記チップ２，２で、その間隔があけられたストロー空間１２内に所定量の固形内服薬５が充填される。そして、ストロー１の基端部１０を液体Ｗ内に置いてストロー先端部１１を口につけ吸い上げることにより、チップ２が濡れてその保形を失って内服薬５を液体Ｗと一緒に口内９に吸い込めるようにしている。
【００１４】
ここでは、底面円径がストロー１の内径に等しい円柱形チップ２を、ストロー１の基端開口１０１より少し奥まった所で、チップ２の円柱側面がストロー１内壁に当接し、該チップ２がストロー１の貫通孔１ｂを遮蔽するようにして係止，固定される。そして、該チップ２よりさらに奥のストロー１先端側に該チップ２と略同形のチップ２がストロー１の貫通孔１ｂを遮蔽するようにして係止，固定される。両チップ２，２間のストロー空間１２に所定量の固形内服薬５が充填され、所望の内服薬収納ストローが出来上がる。なお、基端開口１０１側のチップ２をストロー１の基端開口１０１より少し奥まった所に配するのは、ストロー基端部１０が不用意に水に濡れても、チップ２を濡らさないようにするためである。
【００１５】
斯る構成の内服薬収納ストローは例えば次のようにして造ることができる。基台上に所定厚みの麩を載せ、該麩を目掛けて上からストロー１を降ろす。そうすると、ストロー１の基端開口縁が麩をストロー１の断面形に切り取るカッターの役目を果たし、ストロー１内にストロー１の断面径で麩の厚み分に相当する高さの円柱形チップ２を取り込む。次に、棒などを使ってストロー１の基端開口１０１にあるチップ２にストロー１内壁との摩擦抵抗以上の力を加え、チップ２を所定深さになるようストロー１内部へ押し込む。続いて、基端開口１０１を上にしストロー１を立てた状態にし、粉末，顆粒状等の固形内服薬５をストロー１の基端開口１０１からストロー１内に充填する。ストロー１内のチップ２とストロー基端部１０とで有底円筒部が形成され、内服薬５はこの有底円筒部内に収まる。その後、該ストロー１を立てたまま、上方から麩をストロー１に押し当て、そのまま下方へ降ろす。すると、ストロー１の基端開口１０１から前記チップ２と同様のチップ２がストロー１内に取り込まれる。しかる後、ストロー１基端開口１０１にあるチップ２に棒などを使って、該チップ２，内服薬５，先のチップ２が保有する摩擦抵抗以上の力を加え、該チップ２を奥へ押すと、図１，図２のような所望の内服薬収納ストローが完成する。該内服薬収納ストローは、ストロー１の基端部１０を液体Ｗ内に置いてストロー先端部１１を口につけ吸い上げることにより、前記チップ２又は膜３が濡れてその保形を失い、該チップ２と前記内服薬５とを液体Ｗと一緒に口内９に吸い込めるようになる。ここで、前述の棒などを使って基端開口１０１にあるチップ２を奥へ押したときに、チップ２が必要以上に奥まった所に配設されないよう、ストッパとなる係止突起１４（図７参照）がストロー１内に形成されると、製造し易くなりより好ましくなる。
【００１６】
図３（イ）は他態様の内服薬収納ストローを示す。図１，図２のチップ２及び内服薬５の全体を基端開口１０１側に寄せたものである。濡れ防止のための保護シール６が基端開口１０１を塞ぐようにして該基端開口１０１周りの外周面に固着される。基端開口１０１にチップ２の一面があり、その部分のチップ２が濡れた場合に該チップ２は保形を失うので、保護シール６を貼着しこれを防いでいる。図３（ロ）はストロー１の内服薬５が充填される部分を他の所に比し拡径にして、内服薬５の充填量を多くできるようにした内服薬収納ストローである。
【００１７】
このように構成した内服薬収納ストローは、例えば図４のようにストロー１の基端部１０をコップＣ内の液体Ｗ（例えば飲料水）内に置いて、ストロー先端部１１を口につけ吸い上げると、チップ２が濡れてその保形を失うので、該チップ２と内服薬５が液体Ｗと一緒に一瞬のうちに口内９へと吸い込まれる。瞬時に喉もと９１を過ぎ、食道内に入り込む。舌などの味覚を感知する神経に当たらないので、内服薬５がたとえ苦くてもそれを感じさせない。患者の好みのジュース等の液体Ｗを、ストローを使って飲む感覚で該内服薬収納ストローを使用すれば、苦手な内服薬をより一層楽に飲むことができる。また液体Ｗで喉を潤しながら喉もと９１を通り過ぎるので、粉薬等の内服薬５であってもむせることがない。ストロー１で飲むために液体Ｗ，内服薬５が口から喉もと９１へと顔のほぼ中心線を走り、歯に触れることもないので、顆粒からなる内服薬５であっても、その顆粒が歯と歯の隙間に挟まり不快感を招いたりさらに歯に挟まり傷みを誘発させたりすることもない。飲みづらい内服薬５をいとも簡単に飲むことができるようになり、とりわけ幼児，高齢者、或いは体の不自由な人達にとって頗る重宝なものになる。これまで、内服薬５の粉薬等は口を上にして大きく開けて飲まねばならず、女性にとって抵抗があったが、本内服薬収納ストローを利用すればスマートに飲むことができ、斯る面からも有用なものになる。
【００１８】
さらに、本内服薬収納ストローはコップＣがなくても水道蛇口から直かに飲むことができる。外出先でも抵抗なく使用できる。旅行に際してもこの内服薬収納ストローを個別包装して必要本数用意すれば足りる。しかも、旅行等の外出先では、手を洗わずに飲まねばならないことが多いが、本発明にあっては薬に直接触れずに服用できるので衛生的である。乗り物に乗っていて振動があっても、また風が吹いている戸外であっても、大切な薬をこぼしたりせずに服用できる。
加えて、分包された粉薬などは、包装紙に粉薬が残ったりするが、本内服薬収納ストローは、その内服薬５がストロー１から順次吸込まれる飲料水等の液体Ｗによって洗い流され全て口内９に取り込まれるので、内服薬５を無駄なく服用できるなど数々の利点がある。
【００１９】
（２）実施形態２
本実施形態は図５ごとくの内服薬収納ストローで、実施形態１のストロー１の基端開口１０１側のチップ２に代えて膜３を用いたものである。
該膜３は、前記チップ２と同様、液体Ｗが固体表面から気体を押しのけて広がる濡れ現象を有する食物で形成されるが、チップ２と違ってシート状又はフィルム状にしている。該膜３は濡れのない状態で一定の保形力を有してストロー断面を遮蔽することができる。膜３には例えばオブラート３ｂがある。オブラート３ｂは馬鈴薯でんぷんを煮糊状にしこれを薄く延ばしたシートであり、扱い易い。
図５の内服薬収納ストローは、基台上に所定厚みの麩を載せ、該麩を目掛けて上からストロー１を降ろし、ストロー１内にストロー１の断面径で麩の厚み分に相当する高さの円柱形チップ２を取り込む。次いで、棒などを使ってストロー１の基端開口１０１にあるチップ２を所定深さになるようストロー１内へ押し込む。続いて、基端開口１０１を上にしストロー１を立てた状態にし、粉末，顆粒状等の固形内服薬５をストロー１の基端開口１０１からストロー１内に充填する。その後、オブラート３ｂ等の膜３で基端開口１０１に蓋をする。膜３の周囲３２を基端部１０の外周面１０２に接着し、内服薬収納ストローが完成する。
このように構成した内服薬収納ストローは、ストロー基端部１０を濡らしてしまうと、膜３が濡れてその保形を失い、内服薬５がこぼれ出る虞れがあるものの、他は実施形態１と同様の優れた効果が得られる。
【００２０】
（３）実施形態３
本実施形態は図６ごとくの内服薬収納ストローである。所定量の固形内服薬５を袋状膜３ａに収納して、その袋状膜３ａの開口周縁３２をストロー１基端開口１０１の外周面１０２に被着，一体化させ（図６のイ）、さらにその袋状開口の上から膜３を被せて封をして所定量の固形内服薬５が膜３で包み込まるようにし、該内服薬５をストロー１内に配設したものである（図６のロ）。そして、ストロー１の基端部１０を液体Ｗ内に置いてストロー先端部１１を口につけ吸い上げることにより、前記膜３が濡れてその保形を失い、該膜３と前記内服薬５とを液体Ｗと一緒に口内９に吸い込めるようにしている。該膜３は液体Ｗが固体表面から気体を押しのけて広がる濡れ現象を有する食物で形成されるシート状体又はフィルム状体である。ここでの膜３はオブラート３ｂである。
このように構成した内服薬収納ストローも、ストロー基端部１０を濡らしてしまうと、膜３が濡れてその保形を失い、内服薬５がこぼれ出る虞れがあるものの、他は実施形態１と同様の優れた効果が得られる。
【００２１】
（４）実施形態４
本実施形態は図７のごとく、液体Ｗが固体表面から気体を押しのけて広がる濡れ現象を有する食物で形成された膜３で、且つその膜３が濡れのない状態で、所定量の固形内服薬５を包み込み、この包み込んだものをストロー１内に配設したものである。ストロー１の内壁の所定位置には突起１４が形成され、膜３で包み込まれた固形内服薬５は該突起１４に係止され、ストロー１内に配設，固定される。そして、ストロー１の基端部１０を液体Ｗ内に置いてストロー先端部１１を口につけ吸い上げることにより、前記膜３が濡れてその保形を失い、該膜３と前記内服薬５とを液体Ｗと一緒に口内９に吸い込めるようになっている。
このように構成した内服薬収納ストローも、実施形態１と同様の優れた効果が得られる。
【００２２】
（５）実施形態５
本実施形態は図８のごとく、所定量の固形内服薬５をゼラチン製カプセル４内に充填し、該内服薬５封入カプセル４がストロー１内に係止され、ストロー１の基端部１０を液体Ｗ内に置いてストロー１先端を口につけ吸い上げることにより、カプセル４と内服薬５とを液体Ｗと一緒に口内９に吸い込めるようにした内服薬収納ストローである。ストロー１内で内服薬５封入カプセル４の両サイドを、実施形態１と同じく麩からなるチップ２で係止し、内服薬５を封入したカプセル４がストロー１内に配設される。ストロー１内壁に図７のような突起１４を形成し、これに内服薬５封入カプセル４を係止させてもよい。
このように構成した内服薬収納ストローも、実施形態１と同様の優れた効果が得られる。またカプセル４は水等の飲み物があってもカプセル４の経口と飲み物の経口とに時間差があるため、飲み込めない場合がある。しかるに、本内服薬収納ストローを用いれば液体Ｗとカプセル４が一緒に口内に流れ込むので、容易に経口できる。
【００２３】
（６）実施形態６
本実施形態は図９のごとく、液体Ｗが固体表面から気体を押しのけて広がる濡れ現象を有する食物で形成された膜３が、濡れのない状態で一定の保形力を有してストロー１内に間隔をあけてストロー断面を遮蔽するようにして係止され、且つその間隔があけられたストロー空間１２内に所定量の固形内服薬５が充填され、ストロー１の基端部１０を液体Ｗ内に置いてストロー先端部１１を口につけ吸い上げることにより、前記膜３が濡れてその保形を失い、該膜３と前記内服薬５とを液体Ｗと一緒に口内９に吸い込めるようにした内服薬収納ストローである。膜３の外周縁３２をストロー１内部の内壁に接着し、次に両膜３のストロー空間１２内に固形内服薬５を充填し、その後、ストロー基端開口１０１の外周に膜３の外周縁３２を接着して基端開口１０１を該膜３で蓋したものである。ここでの膜３はオブラート３ｂとする。
このように構成した内服薬収納ストローも、実施形態１と同様の優れた効果が得られる。
【００２４】
尚、本発明においては前記実施形態に示すものに限られず、目的，用途に応じて本発明の範囲で種々変更できる。ストロー１，チップ２，膜３，固形内服薬５等の形状，大きさ，個数，材質等は用途に合わせて適宜選択できる。
【００２５】
【発明の効果】
以上のごとく本発明の内服薬収納ストローは、ストローで液体を吸い上げるその力、さらにその液体自身の有する濡れ作用によってチップ又は膜を破り、且つ液体で喉の潤しながら固形内服薬を容易に飲むことができるので、極めて有益となる。
【図面の簡単な説明】
【図１】実施形態１の内服薬収納ストローの斜視図である。
【図２】図１の縦断面図である。
【図３】図１の内服薬収納ストローとは異なる他態様の内服薬収納ストローの縦断面図である。
【図４】内服薬収納ストローを使用して患者が内服薬を服用する様子を示す説明図である。
【図５】実施形態２の内服薬収納ストローの縦断面図である。
【図６】実施形態３の内服薬収納ストローの縦断面図である。
【図７】実施形態４の内服薬収納ストローの縦断面図である。
【図８】実施形態５の内服薬収納ストローの縦断面図である。
【図９】実施形態６の内服薬収納ストローの縦断面図である。
【符号の説明】
１          ストロー
１２        ストロー空間
２          チップ
３          膜
４          カプセル
５          固形内服薬（内服薬）
９          口内
Ｗ          液体（飲み物）
【図１】
2005027720.tif 000003
【図２】
2005027720.tif 000004
【図３】
2005027720.tif 000005
【図４】
2005027720.tif 000006
【図５】
2005027720.tif 000007
【図６】
2005027720.tif 000008
【図７】
2005027720.tif 000009
【図８】
2005027720.tif 000010
【図９】
2005027720.tif 000011